(57)【要約】【課題】本発明は、構造が簡単であって、且つプロジェクターの使用安全性を効果的に高めるプロジェクターのランプカバーの錠を提供する。【解決手段】本発明に係るプロジェクターのランプカバーの錠は、プロジェクターカバーと、前記プロジェクターカバーの内部に設置され、段差部を有する中空状のスリーブから成り、同軸の第１のスリーブ部分及び第２のスリーブ部分を備える位置制御棚と、段差部を有する軸から成り、前記位置制御棚の内部に位置し、同軸の第１の軸部分及び第２の軸部分を備える本体と、前記本体の第２の軸部分を取り囲むスプリングと、前記位置制御棚の第１のスリーブ部分の内部に固定される保持棚と、ガイド可能に前記プロジェクターカバーの上に係合され、且つ前記本体の第２の軸部分に対応する位置に移動防止装置が設置されるランプカバーと、を備える。【選択図】図１
2009116327.tif 000002
【特許請求の範囲】
【請求項１】
同軸状に配設された第１のスリーブ部分及び第２のスリーブ部分を備え、段差部を有する中空状のスリーブから成る位置制御棚であって、前記第１のスリーブ部分の内径は、前記第２のスリーブ部分の内径よりも大きく、前記第１のスリーブ部分と前記第２のスリーブ部分との間には、リング肩が形成されている前記位置制御棚と、
段差部を有する軸から成る本体であって、前記位置制御棚の内部に位置し、且つ、同軸状に配設された第１の軸部分及び第２の軸部分を備え、前記第１の軸部分の直径は前記第２の軸部分の直径よりも大きく、前記第１の軸部分と前記第２の軸部分との間には前記位置制御棚の前記リング肩に当接するフランジが形成されている前記本体と、
前記位置制御棚の前記第１のスリーブ部分の内部に固定されている保持棚と、
前記本体の前記第２の軸部分を取り囲んでおり、且つ、自身の一端が前記本体の前記フランジに当接され、自身の他端が前記保持棚に当接されているスプリングと、
前記位置制御棚の前記第１のスリーブ部分及び前記第２のスリーブ部分と同軸状に配設されている第１の開口部及び第２の開口部を備えているプロジェクターカバーと、
前記プロジェクターカバーの上方にガイド可能に係合されており、且つ、移動防止装置が前記本体の前記第２の軸部分に対応する位置に設置されるランプカバーと、
を備えているプロジェクターのランプカバーの錠において、
前記位置制御棚は、前記プロジェクターカバーの内部に設置され、前記位置制御棚の第１のスリーブ部分は、前記プロジェクターカバーの前記第１の開口部の外縁に固定されていることを特徴とするプロジェクターのランプカバーの錠。
【請求項２】
前記ランプカバーの前記移動防止装置は、前記ランプカバーの内側に形成されたスロットであることを特徴とする請求項１に記載のプロジェクターのランプカバーの錠。
【請求項３】
前記位置制御棚の前記第１のスリーブ部分と前記プロジェクターカバーとは、一体構造とされ、
前記位置制御棚の前記第１のスリーブ部分の端部は、前記プロジェクターカバーの前記第１の開口部の辺縁で一体に形成されていることを特徴とする請求項１に記載のプロジェクターのランプカバーの錠。
【請求項４】
前記位置制御棚の前記第２のスリーブ部分と前記プロジェクターカバーとは、一体構造とされ、
前記位置制御棚の前記第２のスリーブ部分の端部は、前記プロジェクターカバーの前記第２の開口部の辺縁で一体に形成されていることを特徴とする請求項３に記載のプロジェクターのランプカバーの錠。
【請求項５】
前記位置制御棚と前記プロジェクターカバーとは、互いに独立して構成され、
前記位置制御棚は、溶接、接着、又はヒンジによって前記プロジェクターカバーの前記第１の開口部の辺縁に固定されていることを特徴とする請求項１に記載のプロジェクターのランプカバーの錠。
【請求項６】
スロットが、前記本体の前記第１の軸部分の端面に穿設されていることを特徴とする請求項１に記載のプロジェクターのランプカバーの錠。
【請求項７】
前記保持棚は、すき間嵌めによって前記位置制御棚の前記第１のスリーブ部分の内部に係止されていることを特徴とする請求項１に記載のプロジェクターのランプカバーの錠。
【請求項８】
前記保持棚の上端面が、前記プロジェクターカバーの外表面から外部に突出しないことを特徴とする請求項１記載のプロジェクターのランプカバーの錠。
【請求項９】
前記プロジェクターのランプカバーの錠の各組成部品は、金属材料、プラスチック材料、又は両者の組合からなることを特徴とする請求項１〜８のいずれか一項に記載のプロジェクターのランプカバーの錠。
【発明の詳細な説明】
【技術分野】
【０００１】
本発明は、錠に関するものであり、特にプロジェクターのランプカバーを施錠するために用いられる錠に関するものである。
【背景技術】
【０００２】
現在、プロジェクターは、非常に普及しており、会議室、教室などにおいて必要不可欠な補助設備になっている。利便性を向上させるために、プロジェクターは、一般的には天井板に逆さ吊りにされる。プロジェクターを一定時間動作させると、プロジェクターランプの温度が上昇し、ガラス材料からなるランプが爆裂する場合がある。逆さ吊りにされたプロジェクターのランプを取り換える際に、作業員は、逆さ吊りにされたプロジェクターの下方に位置するので、前記プロジェクターのランプカバーを開いた場合には、爆裂したランプのガラス片が落下し、作業員が目や身体を負傷する危険がある。さらに逆さ吊りにされたプロジェクターには大量の塵埃が付着しているので、作業員がプロジェクターのランプカバーを開けた際に、塵埃が作業員の目に入ってしまう危険もある。
【発明の開示】
【発明が解決しようとする課題】
【０００３】
本発明の目的は、上述のような課題を解決し、簡便な構造であって、且つ、プロジェクターの使用安全性を効果的に高めるプロジェクターのランプカバーの錠を提供することである。
【課題を解決するための手段】
【０００４】
上記目的を達成するために、本発明に係るプロジェクターのランプカバーの錠は、同軸状に配設された第１のスリーブ部分及び第２のスリーブ部分を備え、段差部を有する中空状のスリーブから成る位置制御棚であって、第１のスリーブ部分の内径は第２のスリーブ部分の内径よりも大きく、第１のスリーブ部分と第２のスリーブ部分との間にはリング肩が形成されている位置制御棚と、段差部を有する軸から成る本体であって、位置制御棚の内部に位置し、同軸状に配設された第１の軸部分及び第２の軸部分を備え、第１の軸部分の直径は第２の軸部分の直径よりも大きく、第１の軸部分と第２の軸部分との間には位置制御棚のリング肩に当接するフランジが形成されている本体と、位置制御棚の第１のスリーブ部分の内部に固定されている保持棚と、本体の第２の軸部分を取り囲み、自身の一端が本体のフランジに当接され、その他端が保持棚に当接されているスプリングと、位置制御棚の第１のスリーブ部分及び第２のスリーブ部分と同軸状に配設された第１の開口部及び第２の開口部を備えているプロジェクターカバーと、プロジェクターカバーの上方にガイド可能に係合され、且つ、移動防止装置が本体の第２の軸部分に対応する位置に設置されているランプカバーとを備えており、位置制御棚は、プロジェクターカバーの内部に設置され、位置制御棚の第１のスリーブ部分は、プロジェクターカバーの第１の開口部の外縁に固定されている。
【発明の効果】
【０００５】
本発明のプロジェクターのランプカバーの錠によって、逆さ吊りにされたプロジェクターのランプカバーをロックすることができるので、ランプを取り換える場合には、プロジェクターを取り外し机又は地面に載置してランプカバーを開けることができ、従ってランプが爆裂したとしても、又は多くの塵埃が舞い散ったとしても、作業員が負傷することなく、プロジェクターの使用安全性を効果的に高めることができる。
【発明を実施するための最良の形態】
【０００６】
以下、添付図面を参照しながら本発明を詳しく説明する。
【０００７】
図１は、本発明の実施形態に係るプロジェクターのランプカバーの錠を表わす。プロジェクターのランプカバーの錠１０は、位置制御棚１１、本体１２、スプリング１３、保持棚１４、プロジェクターカバー１５、及びランプカバー１６を備えている。
【０００８】
位置制御棚１１は、同軸状に配設された第１のスリーブ部分１１０及び第２のスリーブ部分１１２を備え、段差部を有する中空状のスリーブから成り、第１のスリーブ部分１１０の内径は第２のスリーブ部分１１２の内径よりも大きく、第１のスリーブ部分１１０と第２のスリーブ部分１１２との間にはリング肩１１４が形成されている。位置制御棚１１は、プロジェクターカバー１５に対して独立した構造であって、利用時にプロジェクターカバー１５の内部に固定可能とされる。さもなければ、プロジェクターカバー１５と一体成型される。
【０００９】
本体１２は、段差部を有する中実軸であって、位置制御棚１１の内部に位置し、且つ、位置制御棚１１の第１のスリーブ部分１１０と第２のスリーブ部分１１２との間で移動可能とされる。本体１２は、同軸状に配設された第１の軸部分１２０及び第２の軸部分１２２を備え、第１の軸部分１２０の直径は第２の軸部分１２２の直径より大きく、第１の軸部分１２０と第２の軸部分１２２との間にはフランジ１２４が形成され、フランジ１２４の直径は第１の軸部分１２０の直径よりも大きく、第１のスリーブ部分１１０の内径よりも小さい。
【００１０】
他の実施形態では、本体１２は中空構造であって、且つ、本体１２の断面は三角形、長方形などの任意の形状とすることができる。従って、本体１２と組み合わせられる位置制御棚１１などの部品の形状も、本体１２の形状に応じた形状とすることができる。
【００１１】
本体１２の第１の軸部分１２０は、位置制御棚１１の第１のスリーブ部分１１０から第２のスリーブ部分１１２の内部に入る。本体１２の第２の軸部分１２２は、位置制御棚１１の第１のスリーブ部分１１０の内部に収容されており、且つ、本体１２の第２の軸部分１２２と位置制御棚１１の第１のスリーブ部分１１０との間には一定距離の隙間がある。本体１２の第１の軸部分１２０は、位置制御棚１１の第２のスリーブ部分１１２の内壁に密接し、且つ第２のスリーブ部分１１２の内壁に沿って移動することができる。本体１２のフランジ１２４は、位置制御棚１１の第１のスリーブ部分１１０の内部に収容され、且つリング肩１１４に当接するので、本体１２が位置制御棚１１の第２のスリーブ部分１１２から脱落することを防止することができる。プロジェクターのランプカバーの錠１０を利用する際に外部のボルトをスロット１２６に係合させるために、フランジ１２４から離れている本体１２の第１の軸部分１２０の一端の端面には、スロット１２６が形成されている。
【００１２】
位置制御棚１１と本体１２との各角部が面取りされている場合がある。位置制御棚１１及び本体１２それぞれの段差状構造は、独立した部材を溶接又は接着することによって構成可能であるが、本実施形態では型成形によって一体構造とされる。
【００１３】
保持棚１４は、スリーブであって、本体１２の第２の軸部分１２２の一部を覆い、且つ第１のスリーブ部分１１０の段差部を有しない端部において第１のスリーブ部分１１０の内部に固定されている。保持棚１４は、隙間嵌め又は他の嵌合い方式で第１のスリーブ部分１１０に対して係合され、保持棚１４の上端面は、第１のスリーブ部分１１０の上端面から外部に突出しないようになっている。
【００１４】
スプリング１３は、本体１２の第２の軸部分１２２を取り囲み、且つ第２の軸部分１２２と第１のスリーブ部分１１０との間の隙間内に収容されている。スプリング１３の一端は本体１２のフランジ１２４に当接し、その他端は保持棚１４に当接している。スプリング１３は、無負荷状態で自由長になるが、一定の圧力を加えて圧縮状態とされることが好ましい。
【００１５】
プロジェクターカバー１５は、位置制御棚１１を支持又は収容する殻体であって、当該実施形態では位置制御棚１１と一体構造とされる。プロジェクターカバー１５には、第１の開口部１５２及び第２の開口部１５４が位置制御棚１１の第１のスリーブ部分１１０及び第２のスリーブ部分１１２それぞれと同軸に配設されている。位置制御棚１１は、第１のスリーブ部分１１０によって第１の開口部１５２の辺縁に一体に連接している。位置制御棚１１の第２のスリーブ部分１１２も第２の開口部１５４の辺縁に一体に連接しているが、これに限定される訳ではない。
【００１６】
ランプカバー１６は、ガイド可能にプロジェクターカバー１５の上方に設置されている。ランプカバー１６は、ランプカバー１６の取り付け又は取り外しの際に、プロジェクターカバー１５に対して一定の距離を保持している。移動防止装置１６２は、ランプカバー１６の内側に設けられたスロットである。スロットは、ランプカバー１６をプロジェクターカバー１５に取り付ける場合に本体１２の第２の軸部分１２２の端部に対応する。
【００１７】
本実施形態では、プロジェクターのランプカバーの錠１０の各組成部品は、金属材料又はプラスチック材料からなる。
【００１８】
図２を参照すると、逆さ吊りにされたプロジェクターにプロジェクターのランプカバーの錠１０を採用する場合には、ボルト１７を第２の開口部１５４からプロジェクターカバー１５の内部に挿入し、ボルト１７の一端が所定距離に到達すると本体１２の係合スロット１２６に当接するので、本体１２をランプカバー１６に向かって推進させると共に本体１２の第２の軸部分１２２のスプリング１３が圧縮される。ボルト１７がさらに進入すると、本体１２の第２の軸部分１２２の一端が保持棚１４から突出してランプカバー１６の移動防止装置１６２と係合するので、ランプカバー１６をプロジェクターにロックして逆さ吊りにされたプロジェクターのランプカバーを取り外す際に不慮の事故が発生することを防止することができる。ランプを取り換える際にプロジェクターを取り外し、ボルト１７を取り外すと、本体１２はスプリング１３の作用によって元の位置に復帰するので、本体１２の第２の軸部分１２２を位置制御棚１１の第１のスリーブ部分１１０の内部に収容し、ランプカバー１６のロック状態を解除し、ランプカバー１６をプロジェクターから取り外すことができる。
【００１９】
本実施形態では、プロジェクターのランプカバーの錠１０を設置することによって、プロジェクターを逆さ吊りにされた場合にランプカバー１６をロックし、ランプを取り換える場合にプロジェクターを取り外してボルト１７を取り外さなくてはならない。逆さ吊りにされたプロジェクターを取り外して机又は地面に置いた後に、ランプカバーを開けることができるので、ランプが爆裂したとしても、又は多くの塵埃が舞い散ったとしても、作業員が負傷することなく保護されるという目的を達成させることができる。
【００２０】
以上、本発明をその実施例に基づいて具体的に説明したが、本発明は、上述の実施例に限定される訳ではなく、その技術的思想及び技術的範囲を逸脱しない限り、様々な変更をすることは言うまでもなく、本発明の権利範囲は、特許請求の範囲に基づいて決定される。
【図面の簡単な説明】
【００２１】
【図１】本発明の実施形態に係るプロジェクターのランプカバーの錠の構造を示す断面図である。
【図２】図１に示すプロジェクターのランプカバーの錠の使用状態を表わす。
【符号の説明】
【００２２】
１０  プロジェクターのランプカバーの錠
１１  位置制御棚
１２  本体
１３  スプリング
１４  保持棚
１５  プロジェクターカバー
１６  ランプカバー
１７  ボルト
１１０  第１のスリーブ部分
１１２  第２のスリーブ部分
１１４  リング肩
１２０  第１の軸部分
１２２  第２の軸部分
１２４  フランジ
１２６  スロット
１５２  第１の開口部
１５４  第２の開口部
１６２  移動防止装置
【図１】
2009116327.tif 000003
【図２】
2009116327.tif 000004